(57)【特許請求の範囲】
【請求項１】
無線通信のための装置であって、
第１の時間インタレースおよび第２の時間インタレースを判定し、なお、前記第１の時間インタレースおよび前記第２の時間インタレースはそれぞれ、期間のセットのＭ番目ごとの期間の異なるセットを備え、ここで、Ｍは１より大きい、
前記第１の時間インタレースのためのシステム帯域幅を周波数選択性スケジューリング（ＦＳＳ）のための第１のサブバンドセットと周波数ダイバーシティスケジューリング（ＦＤＳ）のための第２のサブバンドセットとに分割し、なお、前記第１および第２のサブバンドセットは、システム帯域幅の重複しない部分に対応する、
前記第２の時間インタレースのための前記システム帯域幅をＦＳＳのための第３のサブバンドセットとＦＤＳのための第４のサブバンドセットとに分割し、なお、前記第３および第４のサブバンドセットは、前記第１および第２のサブバンドセットの前記部分とは異なる、システム帯域幅の重複しない部分に対応する、
第１のグループ内のそれぞれのユーザが前記第１のサブバンドセット内の１個のサブバンドにマッピングされている状態で、前記第１のユーザのグループに対する第１の送信を前記第１の時間インタレースにおいて前記第１のサブバンドセットにマッピングし、
第２のグループ内のそれぞれのユーザが前記第２のサブバンドセット内の前記サブバンドにわたってマッピングされている状態で、前記第２のユーザのグループに対する第２の送信を前記第１の時間インタレースにおいて前記第２のサブバンドセットにマッピングし、
第３のグループ内のそれぞれのユーザが前記第３のサブバンドセット内の１個のサブバンドにマッピングされている状態で、前記第３のユーザのグループに対する第３の送信を前記第２の時間インタレースにおいて前記第３のサブバンドセットにマッピングし、
第４のグループ内のそれぞれのユーザが前記第４のサブバンドセット内の前記サブバンドにわたってマッピングされている状態で、前記第４のユーザのグループに対する第４の送信を前記第２の時間インタレースにおいて前記サブバンドの第４のセットにマッピングする
ように構成された少なくとも１つのプロセッサであって、
前記第２のサブバンドセットおよび前記第４のサブバンドセット内のサブバンドにわたって前記マッピングすることは、前記第１および第２のそれぞれの時間インタレースの異なる時間間隔において前記第２のサブバンドセットおよび前記第４のサブバンドセットのうちの複数のサブバンドの異なる部分に周波数ホッピングを実行することを備える、少なくとも１つのプロセッサと、
前記少なくとも１つのプロセッサに結合されたメモリとを備える装置。
【請求項２】
前記少なくとも１つのプロセッサが、前記第１の送信を異なる時間間隔において前記第１のサブバンドセットの固定された部分にマッピングするように構成される、請求項１に記載の装置。
【請求項３】
前記少なくとも１つのプロセッサが、前記第１のユーザのグループのために前記第１のサブバンドセット内で周波数ホッピングを実行し、前記第１の送信を異なる時間間隔において前記第１のサブバンドセットの異なる部分にマッピングするように構成される、請求項１に記載の装置。
【請求項４】
それぞれのサブバンドが複数のサブキャリアを備え、前記少なくとも１つのプロセッサが前記第２の送信を異なる時間間隔において前記第２のサブバンドセット内の異なるサブキャリアのセットにマッピングするように構成される、請求項１に記載の装置。
【請求項５】
それぞれの時間間隔がシンボル期間、または複数のシンボル期間を備えるスロット、または複数のスロットを備えるサブフレームに対応する、請求項４に記載の装置。
【請求項６】
前記少なくとも１つのプロセッサが、前記第２のユーザのグループのためにサブバンドレベルで周波数ホッピングを実行し、前記第２の送信を異なる時間間隔において前記第２のサブバンドセット内の異なるサブバンドにマッピングするように構成される、請求項１に記載の装置。
【請求項７】
それぞれのサブバンドが複数のリソースブロックを備え、前記少なくとも１つのプロセッサが、前記第２のユーザのグループのためにリソースブロックレベルで周波数ホッピングを実行し、前記第２の送信を異なる時間間隔において前記第２のサブバンドセット内の異なるリソースブロックにマッピングするように構成される、請求項１に記載の装置。
【請求項８】
前記少なくとも１つのプロセッサが、固定されたホッピングパターンまたは擬似ランダムホッピングパターンに基づいて前記第２のサブバンドセットにわたって前記第２の送信のために周波数ホッピングを実行するように構成される、請求項１に記載の装置。
【請求項９】
前記第２のサブバンドセット内の前記サブバンドが隣接していない、請求項１に記載の装置。
【請求項１０】
前記少なくとも１つのプロセッサが、前記第１のユーザのグループに対する前記第１の送信を等しく間隔があけられた期間において前記第１のサブバンドセットにマッピングするように構成される、請求項１に記載の装置。
【請求項１１】
前記少なくとも１つのプロセッサが、前記第１のサブバンドセットにマッピングされた前記第１の送信と、前記第２のサブバンドセットにマッピングされた前記第２の送信とを用いて直交周波数分割多重（ＯＦＤＭ）シンボルを生成するように構成される、請求項１に記載の装置。
【請求項１２】
無線通信のための方法であって、
第１の時間インタレースおよび第２の時間インタレースを判定することと、なお、前記第１の時間インタレースおよび前記第２の時間インタレースはそれぞれ、期間のセットのＭ番目ごとの期間の異なるセットを備え、ここで、Ｍは１より大きい、
前記第１の時間インタレースのためのシステム帯域幅を周波数選択性スケジューリング（ＦＳＳ）のための第１のサブバンドセットと周波数ダイバーシティスケジューリング（ＦＤＳ）のための第２のサブバンドセットとに分割することと、なお、前記第１および第２のサブバンドセットは、システム帯域幅の重複しない部分に対応する、
前記第２の時間インタレースのための前記システム帯域幅をＦＳＳのための第３のサブバンドセットとＦＤＳのための第４のサブバンドセットとに分割することと、なお、前記第３および第４のサブバンドセットは、前記第１および第２のサブバンドセットの前記部分とは異なる、システム帯域幅の重複しない部分に対応する、
第１のグループ内のそれぞれのユーザが前記第１のサブバンドセット内の１個のサブバンドにマッピングされている状態で、前記第１のユーザのグループに対する第１の送信を前記第１の時間インタレースにおいて前記第１のサブバンドセットにマッピングすることと、
第２のグループ内のそれぞれのユーザが前記第２のサブバンドセット内の前記サブバンドにわたってマッピングされている状態で、前記第２のユーザのグループに対する第２の送信を前記第１の時間インタレースにおいて前記第２のサブバンドセットにマッピングすることと、
第３のグループ内のそれぞれのユーザが前記第３のサブバンドセット内の１個のサブバンドにマッピングされている状態で、前記第３のユーザのグループに対する第３の送信を前記第２の時間インタレースにおいて前記第３のサブバンドセットにマッピングすることと、
第４のグループ内のそれぞれのユーザが前記第４のサブバンドセット内の前記サブバンドにわたってマッピングされている状態で、前記第４のユーザのグループに対する第４の送信を前記第２の時間インタレースにおいて前記サブバンドの第４のセットにマッピングすることと
を備え、
前記第２のサブバンドセットおよび前記第４のサブバンドセット内のサブバンドにわたって前記マッピングすることは、前記第１および第２のそれぞれの時間インタレースの異なる時間間隔において前記第２のサブバンドセットおよび前記第４のサブバンドセットのうちの複数のサブバンドの異なる部分に周波数ホッピングを実行することを備える、方法。
【請求項１３】
前記第１の送信を前記マッピングすることが、前記第１の送信を異なる時間間隔において前記第１のサブバンドセットの固定された部分にマッピングすることを含む、請求項１２に記載の方法。
【請求項１４】
前記第１のユーザのグループに対する前記第１のサブバンドセット内で周波数ホッピングを実行して、前記第１の送信を異なる時間間隔において前記第１のサブバンドセットの異なる部分にマッピングすることをさらに備える、請求項１２に記載の方法。
【請求項１５】
前記第２の送信を前記マッピングすることが、前記第２の送信を異なる時間間隔において前記第２のサブバンドセット内の異なるサブバンドにマッピングすることを含む、請求項１２に記載の方法。
【請求項１６】
それぞれのサブバンドが複数のリソースブロックを備え、前記第２の送信を前記マッピングすることが、前記第２の送信を異なる時間間隔において前記第２のサブバンドセット内の異なるリソースブロックにマッピングすることを含む、請求項１２に記載の方法。
【請求項１７】
無線通信のための装置であって、
第１の時間インタレースおよび第２の時間インタレースを判定するための手段と、なお、前記第１の時間インタレースおよび前記第２の時間インタレースはそれぞれ、期間のセットのＭ番目ごとの期間の異なるセットを備え、ここで、Ｍは１より大きい、
前記第１の時間インタレースのためのシステム帯域幅を周波数選択性スケジューリング（ＦＳＳ）のための第１のサブバンドセットと周波数ダイバーシティスケジューリング（ＦＤＳ）のための第２のサブバンドセットとに分割するための手段と、なお、前記第１および第２のサブバンドセットは、システム帯域幅の重複しない部分に対応する、
前記第２の時間インタレースのための前記システム帯域幅をＦＳＳのための第３のサブバンドセットとＦＤＳのための第４のサブバンドセットとに分割するための手段と、なお、前記第３および第４のサブバンドセットは、前記第１および第２のサブバンドセットの前記部分とは異なる、システム帯域幅の重複しない部分に対応する、
第１のグループ内のそれぞれのユーザが前記第１のサブバンドセット内の１個のサブバンドにマッピングされている状態で、前記第１のユーザのグループに対する第１の送信を前記第１の時間インタレースにおいて前記第１のサブバンドセットにマッピングするための手段と、
第２のグループ内のそれぞれのユーザが前記第２のサブバンドセット内の前記サブバンドにわたってマッピングされている状態で、前記第２のユーザのグループに対する第２の送信を前記第１の時間インタレースにおいて前記第２のサブバンドセットにマッピングするための手段と、
第３のグループ内のそれぞれのユーザが前記第３のサブバンドセット内の１個のサブバンドにマッピングされている状態で、前記第３のユーザのグループに対する第３の送信を前記第２の時間インタレースにおいて前記第３のサブバンドセットにマッピングするための手段と、
第４のグループ内のそれぞれのユーザが前記第４のサブバンドセット内の前記サブバンドにわたってマッピングされている状態で、前記第４のユーザのグループに対する第４の送信を前記第２の時間インタレースにおいて前記サブバンドの第４のセットにマッピングすることと
を備え、
前記第２のサブバンドセットおよび前記第４のサブバンドセットにおける前記サブバンドにわたって前記マッピングすることは、周波数ホッピングを前記第１および第２のそれぞれの時間インタレースの異なる時間間隔において前記第２のサブバンドセットおよび前記第４のサブバンドセットのうちの複数のサブバンドの異なる部分に実行することを備える、装置。
【請求項１８】
前記第１の送信をマッピングする前記手段が、前記第１の送信を異なる時間間隔において前記第１のサブバンドセットの固定された部分にマッピングする手段を備える、請求項１７に記載の装置。
【請求項１９】
前記第１のユーザのグループに対する前記第１のサブバンドセット内で周波数ホッピングを実行して、前記第１の送信を異なる時間間隔において前記第１のサブバンドセットの異なる部分にマッピングするための手段をさらに備える、請求項１７に記載の装置。
【請求項２０】
前記第２の送信をマッピングする前記手段が、前記第２の送信を異なる時間間隔において前記第２のサブバンドセット内の異なるサブバンドにマッピングする手段を備える、請求項１７に記載の装置。
【請求項２１】
それぞれのサブバンドが複数のリソースブロックを備え、前記第２の送信をマッピングする前記手段が、前記第２の送信を異なる時間間隔において前記第２のサブバンドセット内の異なるリソースブロックにマッピングする手段を備える、請求項１７に記載の装置。
【請求項２２】
命令が記憶されたプロセッサ読み取り可能な媒体であって、
第１の時間インタレースおよび第２の時間インタレースを判定するための第１の命令セットと、なお、前記第１の時間インタレースおよび前記第２の時間インタレースはそれぞれ、期間のセットのＭ番目ごとの期間の異なるセットを備え、ここで、Ｍは１より大きい、
前記第１の時間インタレースのためのシステム帯域幅を周波数選択性スケジューリング（ＦＳＳ）のための第１のサブバンドセットと周波数ダイバーシティスケジューリング（ＦＤＳ）のための第２のサブバンドセットとに分割するための第２の命令セットと、なお、前記第１および第２のサブバンドセットは、システム帯域幅の重複しない部分に対応する、
前記第２の時間インタレースのための前記システム帯域幅をＦＳＳのための第３のサブバンドセットとＦＤＳのための第４のサブバンドセットとに分割するための第３の命令セットと、なお、前記第３および第４のサブバンドセットは、前記第１および第２のサブバンドセットの前記部分とは異なる、システム帯域幅の重複しない部分に対応する、
第１のグループ内のそれぞれのユーザが前記第１のサブバンドセット内の１個のサブバンドにマッピングされている状態で、前記第１のユーザのグループに対する第１の送信を前記第１の時間インタレースにおいて前記第１のサブバンドセットにマッピングするための第４の命令セットと、
第２のグループ内のそれぞれのユーザが前記第２のサブバンドセット内の前記サブバンドにわたってマッピングされている状態で、前記第２のユーザのグループに対する第２の送信を前記第１の時間インタレースにおいて前記第２のサブバンドセットにマッピングするための第５の命令セットと、
第３のグループ内のそれぞれのユーザが前記第３のサブバンドセット内の１個のサブバンドにマッピングされている状態で、前記第３のユーザのグループに対する第３の送信を前記第２の時間インタレースにおいて前記第３のサブバンドセットにマッピングするための第６の命令セットと、
第４のグループ内のそれぞれのユーザが前記第４のサブバンドセット内の前記サブバンドにわたってマッピングされている状態で、前記第４のユーザのグループに対する第４の送信を前記第２の時間インタレースにおいて前記サブバンドの第４のセットにマッピングするための第７の命令セットと
を備え、
前記第２のサブバンドセットおよび前記第４のサブバンドセットにおけるサブバンドにわたって前記マッピングすることは、周波数ホッピングを前記第１および第２のそれぞれの時間インタレースの異なる時間間隔において前記第２のサブバンドセットおよび前記第４のサブバンドセットのうちの複数のサブバンドの異なる部分に実行することを備える、プロセッサ読み取り可能な媒体。
【発明の詳細な説明】
【関連出願】
【０００１】
本出願は、本出願の譲受人に譲渡され、参照により本明細書に組み込まれている、２００６年７月１４日に出願された「ＭＥＴＨＯＤ  ＡＮＤ  ＡＰＰＡＲＡＴＵＳ  ＦＯＲ  ＳＵＢＢＡＮＤ  ＡＮＤ  ＤＩＶＥＲＳＩＴＹ  ＳＣＨＥＤＵＬＩＮＧ  ＴＥＣＨＮＩＱＵＥＳ  ＦＯＲ  ＦＤＭＡ  ＳＹＳＴＥＭＳ」という表題の米国仮出願第６０／８３０，７７０号の優先権を主張するものである。
【技術分野】
【０００２】
本開示は、一般に通信に関し、より具体的には、無線通信システムのための送信技法に関する。
【背景技術】
【０００３】
無線通信システムは、音声、ビデオ、パケットデータ、メッセージング、ブロードキャストなど、様々な通信サービスを提供するために広く配備されている。これらの無線システムは、利用可能なシステムリソースを共有することによって複数のユーザをサポートすることが可能な多元接続システムであり得る。かかる多元接続システムの例は、符号分割多元接続（ＣＤＭＡ）システム、時分割多元接続（ＴＤＭＡ）システム、周波数分割多元接続（ＦＤＭＡ）システム、直交ＦＤＭＡ（ＯＦＤＭＡ）システム、およびシングルキャリアＦＤＭＡ（ＳＣ−ＦＤＭＡ）システムを含む。
【０００４】
無線通信システムでは、基地局は多くのユーザにサービス提供することが可能である。これらのユーザは異なるチャネル条件（例えば、異なるフェージング効果、多重通路効果、および干渉効果）を観測することが可能であり、異なる受信ＳＮ干渉比（ＳＩＮＲ）を達成することが可能である。さらに、所与のユーザは周波数選択性フェージング（frequency selective fading）を観測することが可能であり、システム帯域幅の全域で異なるＳＩＮＲを達成することが可能である。ユーザのすべてに対して良好なパフォーマンスが達成され得るように、異なるチャネル条件を有する異なるユーザに対する送信をサポートすることが所望される。
【発明の概要】
【０００５】
周波数選択性スケジューリング（ＦＳＳ）および周波数ダイバーシティスケジューリング（ＦＤＳ）を効率的にサポートするための技法について本明細書に記載する。ＦＳＳの場合、ユーザに対する送信は、ＦＳＳのために使用される少なくとも１個のサブバンドの中からそのユーザのために選択された１個のサブバンド上で送ることができる。ＦＤＳの場合、ユーザに対する送信は、チャネルおよび干渉ダイバーシティを達成するために、ＦＤＳのために使用される複数のサブバンドにわたって送ることができる。
【０００６】
ある設計では、ＦＳＳユーザに対する第１の送信は、システム帯域幅の第１の周波数領域内の少なくとも１個のサブバンドの中からこのユーザのために選択されたサブバンドにマッピングすることができる。それぞれのサブバンドは、複数のリソースブロックを含むことができ、それぞれのリソースブロックは、複数のサブキャリアを含むことができる。第１の送信は、異なる時間間隔において選択されたサブバンドの固定された（fixed）部分（例えば、固定されたリソースブロック）にマッピングすることができる。第１の送信はまた、選択されたサブバンド内で周波数ホッピングを用いて異なる時間間隔における選択されたサブバンドの異なる部分（例えば、異なるリソースブロック）にマッピングすることもできる。
【０００７】
ＦＤＳユーザに対する第２の送信は、第２の周波数領域内の複数のサブバンドにわたってマッピングすることができる。第１および第２の周波数領域は、システム帯域幅の２つの重複しない（non-overlapping）部分に対応することができる。第２の周波数領域内の複数のサブバンドは、隣接していてもよく、あるいは隣接していなくてもよい。第２の送信は、サブバンドレベル周波数ホッピングを用いて異なる時間間隔において第２の周波数内の異なるサブバンドにマッピングすることができる。第２の送信は、リソースブロックレベル周波数ホッピングを用いて異なる時間間隔において第２の周波数領域内の異なるリソースブロックにマッピングすることもできる。
【０００８】
一般には、送信は、異なる時間間隔において１つまたは複数のサブバンド内の異なるサブキャリアのセットにマッピングすることができる。時間間隔は、シンボル期間、スロット、サブフレームなどに対応することができる。周波数ホッピングは、固定された（fixed）ホッピングパターンまたは擬似ランダムホッピングパターンに基づいて実行することができる。
【０００９】
本開示の様々な態様および特徴が以下でさらに詳細に記載される。
【図面の簡単な説明】
【００１０】
【図１】図１は、無線通信システムを示す。
【図２】図２は、周波数構造を示す。
【図３】図３は、時間構造を示す。
【図４】図４は、リソース構造を示す。
【図５】図５は、サブバンド構造を示す。
【図６Ａ】図６Ａは、サブバンドの全域で周波数ホッピングを用いてＦＳＳおよびＦＤＳの両方をサポートする多重化構造を示す。
【図６Ｂ】図６Ｂは、サブバンドの全域で周波数ホッピングを用いてＦＳＳおよびＦＤＳの両方をサポートする多重化構造を示す。
【図７】図７は、リソースブロックの全域で周波数ホッピングを用いてＦＳＳおよびＦＤＳの両方をサポートする多重化構造を示す。
【図８】図８は、１個のサブバンド内のリソースブロックの全域での周波数ホッピングを示す。
【図９Ａ】図９Ａは、ＦＳＳがすべてのサブバンド上でサポートされている状態で、ＦＳＳおよびＦＤＳの両方をサポートする多重化構造を示す。
【図９Ｂ】図９Ｂは、ＦＳＳがすべてのサブバンド上でサポートされている状態で、ＦＳＳおよびＦＤＳの両方をサポートする多重化構造を示す図。
【図１０】図１０は、１個の時間インタレース（time interlace）に対する１個のサブバンド内のリソースブロックの全域での周波数ホッピングを示す。
【図１１】図１１は、ＦＳＳユーザおよびＦＤＳユーザに対する送信を送るための処理を示す。
【図１２】図１２は、ＦＳＳユーザおよびＦＤＳユーザに対する送信を送るための装置を示す。
【図１３】図１３は、時間インタレース上でＦＳＳユーザおよびＦＤＳユーザに対する送信を送るための処理を示す。
【図１４】図１４は、時間インタレース上でＦＳＳユーザおよびＦＤＳユーザに対する送信を送るための装置を示す。
【図１５】送信を受信する処理を示す図。
【図１６】送信を受信する装置を示す図。
【図１７】図１７は、１つのノードＢおよび２つのユーザ装置（ＵＥ）のブロック図を示す。
【発明を実施するための形態】
【００１１】
図１は、複数のノードＢ１１０および複数のＵＥ１２０を有する無線通信システム１００を示す。ノードＢは、通常、ＵＥと通信する固定局であり、進化型ノード（evolved Node）Ｂ（ｅノードＢ）、基地局、アクセスポイントなどと呼ばれる場合もある。それぞれのノードＢ１１０は、特定の地理的領域に対する通信受信可能範囲を提供し、その受信可能範囲内に配置されたＵＥに対する通信をサポートする。用語「セル」は、その用語が使用される状況に応じて、ノードＢおよび／またはその受信可能範囲を指す場合がある。システムコントローラ１３０はノードＢに結合して、これらのノードＢに対する調整および制御を提供することが可能である。システムコントローラ１３０は、単一のネットワークエンティティまたはネットワークエンティティの集まり、例えば、移動度管理エンティティ（Mobility Management Entity）（ＭＭＥ）／システムアーキテクチャエボリューション（System Architecture Evolution）（ＳＡＥ）ゲートウェイ、無線ネットワークコントローラ（ＲＮＣ）などであり得る。
【００１２】
ＵＥ１２０はシステムの全体にわたって分散されてよく、それぞれのＵＥは固定されていても、または移動可能であってもよい。ＵＥは移動局、移動装置、端末、アクセス端末、加入者ユニット、局などと呼ばれる場合もある。ＵＥは携帯電話、携帯情報端末（ＰＤＡ）、無線通信装置、ハンドヘルド装置、無線モデム、ラップトップコンピュータなどであり得る。用語「ＵＥ」および「ユーザ」は、以下の記載において交換可能に使用される。
【００１３】
ノードＢは、任意の所与の時点で、ダウンリンク上で１つまたは複数のＵＥにデータを送信することかつ／またはアップリンク上で１つまたは複数のＵＥからデータを受信することが可能である。ダウンリンク（すなわち順方向リンク）はノードＢからＵＥへの通信リンクを指し、アップリンク（すなわち逆方向リンク）はＵＥからノードＢへの通信リンクを指す。
【００１４】
本明細書に記載される送信技術は、ダウンリンク送信ならびにアップリンク送信のために使用され得る。技法はまた、ＣＤＭＡシステム、ＴＤＭＡシステム、ＦＤＭＡシステム、ＯＦＤＭＡシステムおよびＳＣ−ＦＤＭＡシステムなど、様々な無線通信システムのために使用されることも可能である。用語「システム」および「ネットワーク」は、多くの場合、交換可能に使用される。ＣＤＭＡシステムは、ユニバーサル地上無線アクセス（ＵＴＲＡ）、ｃｄｍａ２０００などの無線技術を実施することが可能である。ＵＴＲＡは、広帯域ＣＤＭＡ（Ｗ−ＣＤＭＡ）および低チップレート（Low Chip Rate）（ＬＣＲ）を含む。ｃｄｍａ２０００は、ＩＳ−２０００標準、ＩＳ−９５標準およびＩＳ−８５６標準をカバーする。ＴＤＭＡシステムは、汎欧州デジタル移動電話方式（ＧＳＭ（登録商標））などの無線技術を実施することが可能である。ＯＦＤＭＡシステムは、進化型ＵＴＲＡ（Evolved UTRA）（Ｅ−ＵＴＲＡ）、ＩＥＥＥ８０２．１１、ＩＥＥＥ８０２．１６、ＩＥＥＥ８０２、２０、フラッシュＯＦＤＭ（登録商標）などの無線技術を実施することが可能である。これらの様々な無線技術および無線標準は当技術分野において知られている。ＵＴＲＡ、Ｅ−ＵＴＲＡ、およびＧＳＭはユニバーサル移動体通信システム（Universal Mobile Telecommunication System）（ＵＭＴＳ）の一部である。ＬＴＥ（Long Term Evolution）は、Ｅ−ＵＴＲＡを使用するＵＭＴＳの次のリリースである。「第３世代パートナーシッププロジェクト」（３ＧＰＰ）と名づけられた組織からの文献には、ＵＴＲＡ、Ｅ−ＵＴＲＡ、ＧＳＭ、ＵＭＴＳおよびＬＴＥが記載される。「第３世代パートナーシッププロジェクト２」（３ＧＰＰ２）と名づけられた組織からの文献にはｃｄｍａ２０００が記載される。分かりやすいように、送信技法のいくつかの態様は、以下でＬＴＥに関して記載され、３ＧＰＰ技術の用語が以下の記載の大部分で使用される。
【００１５】
ＬＴＥは、ダウンリンク上で直交周波数分割多重（ＯＦＤＭ）を利用し、アップリンク上でシングルキャリア周波数分割多重（ＳＣ−ＦＤＭ）を利用する。ＯＦＤＭおよびＳＣ−ＦＤＭは、システム帯域幅を、通常、トーン、ビン（bins）などとも呼ばれる複数の（Ｎ個の）直交サブキャリアに分割する。それぞれのサブキャリアはデータを用いて変調され得る。通常、変調シンボルはＯＦＤＭを用いて周波数ドメイン内で送られ、ＳＣ−ＦＤＭを用いて時間ドメイン内で送られる。隣接するサブキャリア間の間隔は固定されてよく、サブキャリアの総数（Ｎ）はシステム帯域幅に依存し得る。一設計では、５ＭＨｚのシステム帯域幅の場合、Ｎ＝５１２、１０ＭＨｚのシステム帯域幅の場合、Ｎ＝１０２４、２０ＭＨｚのシステム帯域幅の場合、Ｎ＝２０４８である。通常、Ｎは任意の整数値であってよい。
【００１６】
図２は、送信のために使用され得る周波数構造２００を示す。システム帯域幅はＮＳＢ個のサブバンドに分割されることが可能であり、それぞれのサブバンドはＮＲＢ個のリソースブロックに分割されることが可能であり、それぞれのリソースブロックはＮＳＣ個のサブキャリアを含み得る。通常、ＮＳＢ、ＮＲＢおよびＮＳＣは任意の整数値であってよい。一設計では、それぞれのリソースブロックはＮＳＣ＝１２個のサブキャリアを含む。サブバンドの数（ＮＳＢ）およびそれぞれのサブバンド内のリソースブロックの数（ＮＲＢ）はシステム帯域幅に依存し得る。一設計では、システム帯域幅はＮＳＢ＝６個のサブバンドに分割され、それぞれのサブバンドはＮＲＢ＝８個のリソースブロックを含む。
【数１】
0005551280.tif 000002
【００１７】
であるように、ＮＳＢ、ＮＲＢおよびＮＳＣに関して他の値が使用されてもよい。
【００１８】
図３は、送信のために使用され得る時間構造３００を示す。送信タイムラインはフレームの単位に分割され得る。それぞれのフレームは所定の存続期間、例えば、１０ミリ秒（ｍｓ）にわたり得る。フレームはＮｓｌｏｔ個のスロットに分割されることが可能であり、それぞれのスロットはＮｓｙｍ個のシンボル期間を含むことが可能であり、ＮｓｌｏｔおよびＮｓｙｍは任意の整数値であってよい。一設計では、それぞれのフレームはＮｓｌｏｔ＝２０個のスロットを含み、それぞれのスロットはＮｓｙｍ＝６個または７個のシンボル期間を含み得る。サブフレームは２個のスロットを含むことが可能であり、送信時間間隔（transmission time interval）（ＴＴＩ）と呼ばれる場合もある。通常、それぞれのフレームは、任意の数のサブフレームおよび任意の数のスロットを含むことが可能であり、それぞれのスロットは任意の数のシンボル期間を含み得る。
【００１９】
図４は、送信のために使用され得るリソース構造４００を示す。送信のために利用可能な時間周波数リソースは、時間周波数リソースブロックに分割され得る。時間周波数リソースブロックは、ユーザに割り当てられることが可能な最小のリソース単位であり得る。通常、時間周波数リソースブロックは任意の周波数軸（frequency dimension）をカバーし、任意の存続期間にわたり得る。一設計では、時間周波数リソースブロックは、周波数において１個のリソースブロックをカバーし、時間において１個のスロットにわたる。この設計では、リソースブロックが１２個の連続するサブキャリアを含む場合、スロットが６個のシンボル期間を有するとき時間周波数リソースブロックは７２個のリソースエレメントを含み、スロットが７個のシンボル期間を有するとき時間周波数リソースブロックは８４個のリソースエレメントを含む。リソースエレメントは１個のシンボル期間における１個のサブキャリアであり、１個の変調シンボルを送るために使用され得る。以下の記載の大部分において使用される設計では、時間周波数リソースブロックは、周波数において１個のリソースブロックをカバーし、用語「リソースブロック」はサブキャリアのセットまたはリソースエレメントのブロックを指す場合がある。送信のためにスケジュールされる場合、ユーザには１個または複数のリソースブロックが割り当てられることが可能である。
【００２０】
ユーザはシステムの全体にわたって分散されることが可能であり、異なるチャネル条件を観測することができる。一部のユーザの場合、彼らの送信がチャネルおよび干渉ダイバーシティの両方を達成するために周波数の全域で送られる場合、パフォーマンスは改善され得る。その他のユーザの場合、彼らの送信が高いＳＩＮＲを有するシステム帯域幅の一部において送られる場合、パフォーマンスは改善され得る。
【００２１】
一態様では、システムは表１に示されるスケジューリングスキーム／スケジューリングタイプをサポートすることが可能である。周波数選択性スケジューリング（ＦＳＳ）はサブバンドスケジューリングと呼ばれる場合もある。周波数ダイバーシティスケジューリング（ＦＤＳ）は周波数ホップされたスケジューリング（frequency hopped scheduling）と呼ばれる場合もある。
【表１】
0005551280.tif 000003
【００２２】
一設計では、ＦＤＳは周波数ホッピングを用いて達成される。周波数ホッピングの場合、ユーザに対する送信は異なるホップ期間においてシステム帯域幅の異なる部分において送られることが可能である。ホップ期間は所与のサブキャリアのセット上で費やされる時間量であり、１個のシンボル期間、１個のスロット、１個のサブフレーム、１個のフレームなどに対応し得る。サブキャリアの異なるセットは、ユーザに知られているホッピングパターンに基づいてＦＤＳのために利用可能なすべてのサブキャリアの中からそのユーザのために選択されることが可能である。一設計では、ＦＳＳは選択された１個のサブバンド内のサブキャリアをユーザに割り当てることによって達成される。選択されたサブバンドは、ユーザがＦＳＳのために利用可能なすべてのサブバンドの中で最高のＳＩＮＲを達成するサブバンドであり得る。周波数ホッピングはＦＳＳのために使用されることも可能であるが、選択されたサブバンドに制約されることもある。
【００２３】
ＦＳＳおよびＦＤＳの両方をサポートするための一設計では、システム帯域幅は複数の（ＮＳＢ個の）サブバンドに分割されることが可能であり、それぞれのサブバンドはＦＳＳまたはＦＤＳのいずれかのために使用され得る。どのサブバンドがＦＳＳのために使用され、どのサブバンドがＦＤＳのために使用されるかを表示する情報は、ブロードキャストチャネル（ＢＣＨ）上で送られることが可能であり、またはその他の方法で伝達され得る。例えば、サブバンドビットマスクは、ＮＳＢ個のサブバンドのそれぞれに対して１つのビットを含み得る。それぞれのサブバンドに対するビットは、そのサブバンドがＦＤＳのために使用されることを表示するために０に設定されてよく、またはそのサブバンドがＦＳＳのために使用されることを表示するために１に設定されてよい。
【００２４】
一設計では、ＦＳＳユーザにはＦＳＳのために使用されるサブバンド内のリソースブロックが割り当てられることが可能である。この設計では、ＦＳＳユーザは、ＦＳＳのために使用されるすべてのサブバンドの中から選択され得る１個のサブバンドに制約される可能性がある。ＦＳＳユーザに割り当てられたリソースブロックは、（周波数ホッピングなしに）固定されたサブキャリアのセットを占有することが可能であり、または（周波数ホッピングを用いて）異なるサブキャリアのセットを占有することが可能である。一設計では、ＦＤＳユーザにはＦＤＳのために使用されるサブバンドのうちのいずれかの中のリソースブロックが割り当てられることが可能である。この設計では、ＦＤＳユーザはＦＤＳのために使用されるすべてのサブバンドにわたってホップすることが可能である。ＦＤＳユーザに割り当てられたリソースブロックは、ＦＤＳのために使用されるサブバンド内の異なるサブキャリアのセットを占有し得る。
【００２５】
本明細書で記載される送信技法は、ＦＳＳユーザおよびＦＤＳユーザの両方を効率的にサポートすることが可能であり、両方のタイプのユーザが良好なパフォーマンスを達成することを可能にし得る。一部のユーザは、ＦＤＳを用いて達成されるチャネルおよび干渉ダイバーシティから利益を得ることが可能である。他のユーザは、良好なＳＩＮＲを有する特定のサブバンド上の送信から利益を得ることが可能である。送信技法は、ＦＳＳユーザおよびＦＤＳユーザの両方が、例えば、スロット、サブフレームなど、所与の時間内で容易に多重化されることを可能にする。送信技法は、そのいくつかが以下に記載される様々な多重化構造を用いてサポートされ得る。
【００２６】
図５は、サブバンド構造５００の設計を示す。この設計では、システム帯域幅は０乃至５の指標が割り当てられたＮＳＢ＝６個の物理サブバンドに分割される。それぞれの物理サブバンドはシステム帯域幅の特定の部分をカバーする。６個の仮想サブバンドも画定されて、０乃至５の指標が割り当てられる。周波数ホッピングが用いられない場合、仮想サブバンドｓは物理サブバンドｓにマッピングされ、両方とも単にサブバンドｓと呼ばれる場合があり、その場合、ｓ∈｛０，．．．，５｝である。周波数ホッピングが用いられる場合、仮想サブバンドｓは異なる時間間隔において異なる物理サブバンドにマッピングされ得る。周波数ホッピングが用いられる場合、仮想サブバンドはリソースの割当てを簡素化することが可能である。以下の記載において、用語「サブバンド」は、その他の言及がない限り、物理サブバンドを指す。
【００２７】
図６Ａは、サブバンドレベル周波数ホッピングを用いてＦＳＳおよびＦＤＳの両方をサポートする多重化構造６００の設計を示す。この例示的な設計では、システム帯域幅はＮＳＢ＝６個の物理サブバンド０乃至５に分割され、２個の物理サブバンド０および１がＦＳＳのために使用され、４個の物理サブバンド２乃至５がＦＤＳのために使用される。ＦＳＳの場合、仮想サブバンドと物理サブバンドの間のマッピングは静的である。図６Ａに示される例では、仮想サブバンド０はそれぞれの時間間隔において物理サブバンド０にマッピングされ、仮想サブバンド１はそれぞれの時間間隔において物理サブバンド１にマッピングされる。
【００２８】
ＦＤＳの場合、それぞれの仮想サブバンドは、それぞれの時間間隔においてＦＤＳのために使用される物理サブバンドのうちの任意の１個にマッピングされ得る。図６Ａに示される例では、仮想サブバンド２は時間間隔ｎにおいて物理サブバンド２にマッピングされ、時間間隔ｎ＋１において物理サブバンド３にマッピングされ、時間間隔ｎ＋２において物理サブバンド４にマッピングされ、以下同様である。それぞれの時間間隔における物理サブバンド２乃至５に対する仮想サブバンド２乃至５のマッピングが図６Ａに示される。図６Ａに示される例では、ＦＤＳのためのそれぞれの仮想サブバンドは、巡回的な方法または循環的な方法で物理サブバンド２乃至５にわたってホップする。物理サブバンドに対する仮想サブバンドのマッピングは、その他のホッピングパターンに基づくことも可能である。
【００２９】
図６Ｂは、サブバンドレベル周波数ホッピングを用いてＦＳＳおよびＦＤＳの両方をサポートする多重化構造６１０の設計を示す。この例示的な設計では、システム帯域幅はＮＳＢ＝６個の物理サブバンド０乃至５に分割され、２個の物理サブバンド０乃至３がＦＳＳのために使用され、４個の物理サブバンド１、２、４および５がＦＤＳのために使用される。ＦＳＳの場合、仮想サブバンドｓは、ｓ∈｛０，３｝の場合、それぞれの時間間隔において物理サブバンドｓにマッピングされる。
【００３０】
ＦＤＳの場合、それぞれの仮想サブバンドは、それぞれの時間間隔においてＦＤＳのために使用される物理サブバンドのうちの任意の１個にマッピングされ得る。図６Ｂに示される例では、仮想サブバンド１は、擬似ランダムホッピングパターンに基づいて、異なる時間間隔において物理サブバンド１、２、４および５のうちの異なる物理サブバンドにマッピングされる。仮想サブバンド２、４および５も同じ擬似ランダムホッピングパターンに基づいて物理サブバンド１、２、４および５にマッピングされるが、仮想サブバンド１から、それぞれ１、２および３だけ巡回的にオフセットされる。
【００３１】
図６Ａおよび６Ｂに示される例示的な設計では、２個のサブバンドがＦＳＳのために使用され、４個のサブバンドがＦＤＳのために使用される。通常、ＮＳＢ個のサブバンドのうちの任意のものがＦＳＳのために使用され得る。ＦＳＳのために使用されるサブバンドは（例えば、図６Ａに示されるように）互いに隣接してよく、または（図６Ｂに示されるように）非連続的で、場合によっては、システム帯域幅の全体にわたって分散されてもよい。ＦＳＳのために使用されないサブバンドはＦＤＳのために使用され得る。サブバンドレベル周波数ホッピングは、ＦＤＳのために使用されるすべてのサブバンドの全域で実行され得る。
【００３２】
ＦＤＳユーザにはサブバンドレベル周波数ホッピングを用いていくつかの方法でリソースブロックが割り当てられることが可能である。それぞれのサブバンドは、図２に示されるように、０乃至ＮＲＢ−１の指標を有するＮＲＢ個のリソースブロックを含み得る。ＦＤＳユーザには特定の仮想サブバンドｓ内の特定のリソースブロックｒが割り当てられることが可能である。サブバンドレベル周波数ホッピングを用いて、仮想サブバンドｓは異なる時間間隔において異なる物理サブバンドにマッピングされ得る。一設計では、仮想サブバンドｓ内のＮＲＢ個のリソースブロックは、仮想サブバンドｓがマッピングされるそれぞれの物理サブバンド内の同じリソースブロック位置にマッピングされる。例えば、ＦＤＳユーザには、図６Ｂにおける仮想サブバンドｓ＝１内のリソースブロックｒ＝３が割り当てられることが可能である。このＦＤＳユーザは、次いで、時間間隔ｎにおいて物理サブバンド１内のリソースブロック３にマッピングされ、時間間隔ｎ＋１において物理サブバンド５内のリソースブロック３にマッピングされ、時間間隔ｎ＋２において物理サブバンド２内のリソースブロック３にマッピングされ、以下同様である。ＦＤＳユーザは異なる時間間隔において異なる物理サブバンドにマッピングされ得るが、これらの物理サブバンド内のリソースブロック位置は変わらない。別の設計では、ＦＤＳユーザには特定の仮想サブバンドｓ内の特定のリソースブロックｒが割り当てられることが可能であり、仮想サブバンドｓ内のリソースブロックｒは異なる物理サブバンド内の異なるリソースブロック位置にマッピングされ得る。
【００３３】
図７は、リソースブロックレベル周波数ホッピングを用いてＦＳＳおよびＦＤＳの両方をサポートする多重化構造７００の設計を示す。この例示的な設計では、システム帯域幅はＮＳＢ＝６個の物理サブバンド０乃至５に分割され、４個の物理サブバンド０、１、３および５がＦＳＳのために使用され、２個の物理サブバンド２および４がＦＤＳのために使用される。ＦＳＳの場合、仮想サブバンドと物理サブバンドとの間のマッピングは静的であり、仮想サブバンドｓは、ｓ∈｛０，１，３，５｝の場合、それぞれの時間間隔において物理サブバンドｓにマッピングされる。
【００３４】
ＦＤＳのために使用されるすべての物理サブバンド向けのリソースブロックは集めることが可能であり、物理リソースブロックと呼ばれる場合がある。図７に示される例示的な設計では、それぞれの物理サブバンドはＮＲＳ＝８個のリソースブロックを含み、ＦＤＳ向けの物理サブバンド２および４は、０乃至１５の指標が割り当てられた合計１６個の物理リソースブロックを含む。１６個の仮想リソースブロックが画定され、０乃至１５の指標が割り当てられることが可能である。周波数ホッピングが用いられる場合、仮想リソースブロックはリソースの割当てを簡素化することが可能である。
【００３５】
ＦＤＳの場合、リソースブロックレベル周波数ホッピングが用いられることが可能であり、それぞれの仮想リソースブロックはそれぞれの時間間隔において物理リソースブロックのうちの任意の１個にマッピングされ得る。図７に示される例では、仮想リソースブロック０は時間間隔ｎにおいて物理リソースブロック０にマッピングされ、時間間隔ｎ＋１において物理リソースブロック１にマッピングされ、時間間隔ｎ＋２において物理リソースブロック２にマッピングされ、以下同様である。それぞれの時間間隔における物理リソースブロック０乃至１５に対する仮想リソースブロック０から１５のマッピングが図７に示される。図７に示される例では、それぞれの仮想リソースブロックは巡回的な方式で物理リソースブロック０乃至１５の全域でホップする。物理リソースブロックに対する仮想リソーブブロックのマッピングは、他のホッピングパターンに基づくことも可能である。
【００３６】
ＦＤＳユーザには特定の仮想リソースブロックｒが割り当てられることが可能である。リソースブロックレベル周波数ホッピングを用いて、仮想リソースブロックｒは異なる時間間隔において、同じサブバンド内にあってよくまたは異なるサブバンド内にあってもよい、異なる物理リソースブロックにマッピングされ得る。
【００３７】
図７に示された例示的な設計では、４個の隣接しないサブバンドがＦＳＳのために使用され、２個の隣接しないサブバンドがＦＤＳのために使用される。通常、ＮＳＢ個のサブバンドのうちのいずれかがＦＳＳのために使用されることが可能であり、残りのサブバンドがＦＤＳのために使用され得る。リソースブロックレベル周波数ホッピングは、ＦＤＳのために使用されるすべてのサブバンドの全域で実行され得る。
【００３８】
（例えば、図６Ａおよび６Ｂに示されるような）サブバンドレベル周波数ホッピングは、システム帯域幅の全域でより少ないホップ位置を有する可能性があり、ホップ位置の数はＦＤＳのために使用されるサブバンドの数によって判定される。ＦＤＳ向けのサブバンドに比べてより多くのリソースブロックが存在し得るため、（例えば、図７に示されるような）リソースブロックレベル周波数ホッピングは、システムの全域でより多くのホップ位置を有する可能性がある。
【００３９】
一般に、周波数ホッピングはＦＳＳのために用いられてもよく、または用いられなくてもよい。一設計では、周波数ホッピングはＦＳＳのために用いられない。この設計では、ＦＳＳユーザには所与のサブバンド内の同じリソースブロックが割り当てられることが可能であり、このＦＳＳユーザに対する送信はシステム帯域幅内の同じ部分において送られ得る。別の設計では、サブバンド内の周波数ホッピングがＦＳＳのために用いられる。この設計では、ＦＳＳユーザには所与のサブバンド内の異なるリソースブロックが割り当てられることが可能であり、このＦＳＳユーザに対する送信はこのサブバンドの異なる部分において送られることが可能である。
【００４０】
図８は、１個のサブバンド内のリソースブロックの全域で周波数ホッピングを用いてＦＳＳをサポートする多重化構造８００の設計を示す。この設計では、サブバンドは０乃至７の指標が割り当てられたＮＲＢ＝８個の物理リソースブロックを含む。８個の仮想リソースブロックも画定され、０乃至７の指標が割り当てられる。それぞれの仮想リソースブロックは、それぞれの時間間隔において物理リソースブロック０乃至７のうちの任意の１個にマッピングされ得る。図８に示される例では、仮想リソースブロック０は時間間隔ｎにおいて物理リソースブロック０にマッピングされ、時間間隔ｎ＋１において物理リソースブロック１にマッピングされ、時間間隔ｎ＋２において物理リソースブロック２にマッピングされ、以下同様である。それぞれの時間間隔における物理リソースブロック０乃至７に対する仮想リソースブロック０乃至７のマッピングが図８に示される。図８は巡回シフトホッピングパターンを示し、他のホッピングパターンも使用され得る。
【００４１】
図６Ａ、図６Ｂおよび図７に示される例示的な設計では、いくつかのサブバンドがＦＳＳのために使用され、残りのサブバンドはＦＤＳのために使用される。ＮＳＢ個のサブバンドのすべてまたは多くがＦＳＳのために使用されることを可能にすることが望ましい場合がある。異なるＦＳＳユーザは、異なるサブバンド内で良好なパフォーマンスを達成することが可能である。改善されたパフォーマンス（例えば、より高いシステムスループット）は、これらのＦＳＳユーザをそれらのＦＳＳユーザが所望するサブバンド上にスケジュールすることによって達成され得る。
【００４２】
図９Ａは、ＦＳＳがすべてのサブバンド上でサポートされている状態で、ＦＳＳおよびＦＤＳの両方をサポートする多重化構造９００の設計を示す。この例示的な設計では、システム帯域幅はＮＳＢ＝６個のサブバンド０乃至５に分割され、それぞれの時間間隔において２個のサブバンドがＦＳＳのために使用され、４個のサブバンドがＦＤＳのために使用される。通常、期間はシンボル期間、スロット、サブブレーム、フレームなどに対応し得る。この例示的な設計では、期間ｍにおいてサブバンド０および１がＦＳＳのために使用され、期間ｍ＋１においてサブバンド２および３がＦＳＳのために使用され、期間ｍ＋２においてサブバンド４および５がＦＳＳのために使用され、以下同様である。それぞれの期間において、ＦＳＳのために使用されないサブバンドはＦＤＳのために使用される。リソースブロック又はサブバンドの全域の周波数ホッピングは、ＦＤＳのために使用されるサブバンドのために用いられることが可能である。
【００４３】
複数の（Ｍ個の）時間インタレースが画定されることが可能であり、それぞれの時間インタレースはＭ個の期間によって等しく間隔があけられた期間を含む。通常、Ｍは任意の整数値であってよい。図９Ａに示される例示的な設計では、Ｍ＝６個の時間インタレース０乃至５が画定され、時間インタレース０は期間ｍ、ｍ＋６などを含み、時間インタレース１は期間ｍ＋１、ｍ＋７などを含み、時間インタレース５は期間ｍ＋５、ｍ＋１１などを含む。図９Ａに示されない別の例示的な設計では、３個の時間インタレース０乃至２が画定されることが可能であり、時間インタレース０は期間ｍ、ｍ＋３、ｍ＋６などを含み、時間インタレース１は期間ｍ＋１、ｍ＋４などを含み、時間インタレース２は期間ｍ＋２、ｍ＋５などを含む。いずれの場合も、時間インタレースの数にかかわらず、ゼロまたは複数のサブバンドの特定のセットがそれぞれの時間インタレースにおいてＦＳＳのために使用され得る。図９Ａに示される例示的な設計の場合、サブバンド０および１が時間インタレース０においてＦＳＳのために使用され、サブバンド２および３が時間インタレース１においてＦＳＳのために使用され、サブバンド４および５が時間インタレース２においてＦＳＳのために使用され、以下同様である。それぞれの時間インタレースに関して、ＦＳＳのために使用されないサブバンドはＦＤＳのために使用され得る。
【００４４】
図９Ｂは、ＦＳＳがすべてのサブバンド上でサポートされている状態で、ＦＳＳおよびＦＤＳの両方をサポートする多重化構造９１０の設計を示す。この例示的な設計では、システム帯域幅はＮＳＢ＝６個のサブバンド０乃至５に区分され、Ｍ＝６個の時間インタレース０乃至５が画定される。図９Ｂに示される例示的な設計では、サブバンド０、１および２が時間インタレース０においてＦＳＳのために使用され、サブバンド３、４および５が時間インタレース１においてＦＳＳのために使用され、サブバンド０および３が時間インタレース２においてＦＳＳのために使用され、サブバンド１および４が時間インタレース３においてＦＳＳのために使用され、サブバンド２および５が時間インタレース４においてＦＳＳのために使用され、時間インタレース５においてＦＳＳのために使用されるサブバンドはない。
【００４５】
ＦＳＳユーザには適切な時間インタレースにおいて所望されるサブバンド内のリソースブロックが割り当てられることが可能である。図９Ａに示される例示的な設計では、サブバンド０および１を望んでいるＦＳＳユーザには、時間インタレース０および／または３においてこれらのサブバンド内のリソースブロックが割り当てられることが可能であり、サブバンド２および３を望んでいるＦＳＳユーザには、時間インタレース１および／または４においてこれらのサブバンド内のリソースブロックが割り当てられることが可能であり、サブバンド４および５を望んでいるＦＳＳユーザには、時間インタレース２および／または５においてこれらのサブバンド内のリソースブロックが割り当てられることが可能である。これにより、それぞれのＦＳＳユーザにはそのユーザの所望するサブバンド内のリソースブロックが割り当てられることが可能である。
【００４６】
通常、多重化構造は任意の数（ＮＳＢ）のサブバンドおよび任意の数（Ｍ）の時間インタレースを含み得る。任意の数のサブバンドはそれぞれの時間インタレースにおいてＦＳＳのために使用され得る。同じ数または異なる数のサブバンドがＭ個の時間インタレースにおいてＦＳＳのために使用され得る。それぞれの時間インタレースに対してＦＳＳのために使用されるサブバンドは隣接していてもよく、または隣接していなくてもよい。
【００４７】
それぞれの時間インタレースにおいてＦＤＳのために使用されるサブバンドおよびＦＳＳのために使用されるサブバンドは、様々な方法でユーザに伝達され得る。一設計では、ＦＳＳおよびＦＤＳ向けのサブバンドは時間インタレース０に関して選択されることが可能であり、それぞれの残りの時間インタレースに対するＦＳＳおよびＦＤＳ向けのサブバンドは、時間インタレース０に対するＦＳＳおよびＦＤＳ向けのサブバンドに基づいて画定される。一設計では、サブバンドビットマスクが時間インタレース０に対して使用されることが可能であり、ＮＳＢ個のサブバンドのそれぞれに対して１つのビットを有し得る。それぞれのサブバンドに対するビットは、そのサブバンドがＦＤＳのために使用されていることを表示するために０に設定されてよく、またはそのサブバンドがＦＳＳのために使用されていることを表示するために１に設定されてよい。それぞれの残りの時間インタレースに対するサブバンドビットマスクは、時間インタレース０に対するサブバンドビットマスクに基づいて画定され得る。一設計では、それぞれの残りの時間インタレースに対するサブバンドビットマスクは、時間インタレース０に対するサブバンドビットマスクの巡回シフトバージョンである。Ｍ＝６個の時間インタレースを有する、図９Ａに示される例示的な設計の場合、それぞれの時間インタレースに対するサブバンドビットマスクは以下のように提示され得る。
【００４８】
時間インタレース０に対するサブバンドビットマスク＝｛１，１，０，０，０，０｝、
時間インタレース１に対するサブバンドビットマスク＝｛０，０，１，１，０，０｝、
時間インタレース２に対するサブバンドビットマスク＝｛０，０，０，０，１，１｝、
時間インタレース３に対するサブバンドビットマスク＝｛１，１，０，０，０，０｝、
時間インタレース４に対するサブバンドビットマスク＝｛０，０，１，１，０，０｝、及び  時間インタレース５に対するサブバンドビットマスク＝｛０，０，０，０，１，１｝。
【００４９】
時間インタレースに対するサブバンドビットマスクは、いくつかの他のマッピングに基づいて画定されることも可能である。同じサブバンドビットマスクがすべての時間インタレースのために使用されることも可能である。いずれの場合も、Ｍ個の時間インタレースに対するＭ個のサブバンドビットマスク向けの所定のマッピングを使用することによって、Ｍ個の時間インタレースのそれぞれに対してＦＳＳおよびＦＤＳのために使用されるサブバンドを伝達するために単一のサブバンドビットマスクが送られることが可能である。別の設計では、それぞれの時間インタレースに対するＦＳＳおよびＦＤＳ向けのサブバンドは独立して選択されて、例えば、それぞれの時間インタレースに対する個別のサブバンドビットマスクを使用して、伝達されることが可能である。
【００５０】
システムは、増分冗長度、チェースコンバイニング（chase combining）などと呼ばれる場合もあるハイブリット自動再送信（hybrid automatic retransmission）（ＨＡＲＱ）をサポートし得る。ＨＡＲＱを用いて、送信機はパケットに対する送信を送り、パケットが受信機によって正確に復号されるまで、もしくは最大数の再送信が送られるまで、またはいくつかの他の終了条件が満たされるまで、１つまたは複数の再送信を送ることが可能である。ＨＡＲＱはデータ送信の信頼性を改善し得る。
【００５１】
Ｍ個のＨＡＲＱインタレースが画定されることが可能であり、Ｍは任意の整数値であってよい。それぞれのＨＡＲＱインタレースは、（オーバヘッドのために割り当てられた時間を数に入れず）Ｍ個の期間によって間隔があけられた期間をカバーし得る。いくつかの例のように、３個または６個のＨＡＲＱインタレースが図９Ａに示されるように画定されることが可能であり、または６個のＨＡＲＱインタレースが図９Ｂに示されるように画定され得る。より少ないＨＡＲＱインタレースまたはより多いＨＡＲＱインタレースも画定され得る。それぞれのＨＡＲＱインタレースは異なる時間インタレースに対応し得る。
【００５２】
ＨＡＲＱプロセスは、もしあれば、パケットに対するすべての送信およびすべての再送信を指す。ＨＡＲＱプロセスはリソースが利用可能であるときはいつでも開始されることが可能であり、第１の送信の後にまたは１つもしくは複数のその後の再送信の後に終了し得る。ＨＡＲＱ処理は、受信機での復号結果に依存し得る可変の存続期間を有する場合がある。それぞれのＨＡＲＱ処理は１個のＨＡＲＱインタレース上で送られることが可能である。ＦＳＳユーザにはそのユーザによって所望されるサブバンドを有するＨＡＲＱインタレースにおいてリソースブロックが割り当てられることが可能である。
【００５３】
一般に、（例えば、図９Ａまたは図９Ｂにおける）時間インタレースのための期間は、（例えば、図５乃至８における）周波数ホッピングのための時間間隔と等しくても、当該時間間隔より短くても、または当該時間間隔より長くてもよい。期間が時間間隔よりも長い場合、周波数ホッピングはそれぞれの期間において発生し得る。一設計では、時間間隔は１個のシンボル期間にわたり、期間は１２個または１４個のシンボル期間の２個のスロットにわたる。この設計では、周波数ホッピングは２個のスロットのそれぞれの期間内でシンボル期間ごとに発生し得る。別の設計では、期間は時間間隔と等しいが、その両方とも、シンボル期間、スロット、サブフレームなどと等しくてもよい。この設計では、ＦＳＳの場合、周波数ホッピングはそれぞれの時間インタレースについて期間ごとに発生し得る。ＦＤＳの場合、周波数ホッピングはそれぞれの時間インタレースに対して個別に実行されることが可能であり、またはすべての時間インタレースにわたって一緒に実行されることも可能である。
【００５４】
図１０は、１個の時間インタレースｍに対する１個のサブバンド内のリソースブロックの全域で周波数ホッピングを用いてＦＳＳをサポートする多重化構造１０００の設計を示す。この例示的な設計では、時間インタレースｍは、期間ｍ、ｍ＋Ｍなどを含み、それぞれの期間は１個のスロットに対応し、それぞれの時間間隔は１個のシンボル期間に対応する。
【００５５】
図１０に示される例示的な設計では、サブバンドはＮＲＢ＝８個の物理リソースブロック０乃至７を含み、８個の仮想リソースブロック０乃至７が画定される。それぞれの仮想リソースブロックは、擬似ランダムホッピングパターンに基づいて時間インタレースｍに対するそれぞれのシンボル期間において物理リソースブロック０乃至７のうちの１個にマッピングされる。仮想リソースブロック０は、期間ｍのシンボル期間０において物理リソースブロック０にマッピングされ、シンボル期間１において物理リソースブロック５にマッピングされ、シンボル期間２において物理リソースブロック２にマッピングされ、以下同様である。時間インタレースｍのそれぞれのシンボル期間における物理リソースブロック０乃至７に対する仮想リソースブロック０から７のマッピングが図１０に示される。図１０は擬似ランダムホッピングパターンを示すが、その他のホッピングパターンも使用され得る。
【００５６】
一般に、様々なホッピングパターンがＦＤＳおよびＦＳＳ向けの周波数ホッピングのために使用され得る。同じホッピングパターンがＦＤＳおよびＦＳＳの両方のために使用されてよく、または異なるホッピングパターンがＦＤＳおよびＦＳＳのために使用されてもよい。ホッピングパターンは、巡回シフトパターンなどの固定されたホッピングパターンであってよく、または何等かの他のパターンであってもよい。ホッピングパターンは、入力またはシード（seed）として任意のパラメータを受信することが可能な、公知の関数またはジェネレータに基づいて生成されることも可能である。一設計では、ホッピングパターンはシステム内のそれぞれのセルまたはセクタに使用される。近接するセルまたはセクタは、セル／セクタ間の干渉をランダム化するために異なるホッピングパターンを使用することが可能である。
【００５７】
一設計では、それぞれのセルまたはセクタ向けのホッピングパターンは時間において静的であり、所定の存続期間、例えば、所定のサブフレーム数において繰り返す。例えば、周波数ホッピングは、固定されたホッピングパターン、例えば、巡回シフトパターンに基づいてそれぞれのサブフレーム内の１２個または１４個のシンボル期間の全域でＱ個のリソースブロックのセットに対して実行され得る。仮想リソースブロック０からＱ−１は、それぞれのサブフレームの第１のシンボル期間において、それぞれ、物理リソースブロック０乃至Ｑ−１にマッピングされ得る。それぞれの仮想リソースブロックは、サブフレームのそれぞれの残りのシンボル期間において異なる物理リソースブロックにマッピングされ得る。
【００５８】
別の設計では、それぞれのセルまたはセクタ向けのホッピングパターンは時間的に変化する。ホッピングパターンは、公知の関数、例えば、そのセルまたはセクタに特定の擬似ランダムスクランブリングコードの関数に基づいて画定され得る。例えば、周波数ホッピングは、固定されたホッピングパターン、例えば、巡回シフトパターンに基づいてそれぞれのサブフレーム内の１２個または１４個のシンボル期間の全域でＱ個のリソースブロックのセットに対して実行され得る。しかし、第１のシンボル期間に対する最初のマッピングはスクランブリングコードの４つのビットに基づいて判定され得る。例えば、４ビットのスクランブリンコード値がｑである場合、サブフレームの第１のシンボル期間に対して、仮想リソースブロック０は物理リソースブロックｑにマッピングされることが可能であり、仮想リソースブロック１は物理リソースブロック（ｑ＋１）ｍｏｄＱにマッピングされることが可能であり、以下同様である。４ビットのスクランブリンクコード値は、時間的に変化する周波数ホッピングを達成するためにサブフレームごとに変化し得る。
【００５９】
図１１は、ＦＳＳおよびＦＤＳに対する送信を送るための処理１１００の設計を示す。処理１１００はノードＢまたは何らかの他のエンティティによって実行され得る。第１のユーザ（例えば、ＦＳＳユーザ）に対する第１の送信は、システム帯域幅の第１の周波数領域内の少なくとも１個のサブバンドの中から第１のユーザのために選択された１個のサブバンドにマッピングされ得る（ブロック１１１２）。第１の送信は、異なる時間間隔において、選択されたサブバンドの固定された部分（例えば、特定のリソースブロック）にマッピングされ得る。選択されたサブバンド内の周波数ホッピングは、第１のユーザのために実行されることも可能である。この場合、第１の送信は異なる時間間隔において、選択されたサブバンドの異なる部分（例えば、異なるリソースブロック）にマッピングされ得る。第１の送信は、連続する期間において送られることが可能であり、または時間インタレースの等しく間隔があけられた期間において送られることも可能である。
【００６０】
第２のユーザ（例えば、ＦＤＳユーザ）に対する第２の送信は、第２の周波数領域内の複数のサブバンドの全域でマッピングされ得る（ブロック１１１４）。第１および第２の周波数領域は、システム帯域幅の２つの重複しない部分に対応し得る。第２の周波数領域内の複数のサブバンドは隣接していてよく、または隣接していなくてもよい。サブバンドレベルでの周波数ホッピングは第２のユーザのために実行され得る。この場合、第２の送信は異なる時間間隔において第２の周波数領域内の異なるサブバンドにマッピングされ得る。リソースブロックレベルでの周波数ホッピングは第２のユーザのために実行されることも可能である。この場合、第２の送信は異なる時間間隔において第２の周波数領域内の異なるリソースブロックにマッピングされ得る。サブキャリアレベルでの周波数ホッピングが実行されることも可能である。
【００６１】
一般的に、送信は周波数ホッピングを用いて異なる時間間隔において１個または複数のサブバンド内の異なるサブキャリアのセットにマッピングされ得る。周波数ホッピングは、固定されたホッピングパターン（例えば、巡回シフトパターン）または（例えば、スクランブリングコードに基づいて判定される）擬似ランダムホッピングパターンに基づいて実行され得る。ＯＦＤＭシンボルまたはＳＣ−ＦＤＭシンボルは、第１の周波数領域内の選択されたサブバンドにマッピングされた第１の送信と、第２の周波数領域内の複数のサブバンドにマッピングされた第２の送信とを用いて生成されることが可能である（ブロック１１１６）。
【００６２】
ユーザは、周波数選択性スケジューリングのために第１の周波数領域内の選択されたサブバンド上で送信を送ることも可能である。ユーザは、周波数ダイバーシティスケジューリングのために第２の周波数領域内の複数のサブバンドの全域で送信を送ることが可能である。
【００６３】
図１２は、ＦＳＳおよびＦＤＳに対する送信を送るための装置１２００の設計を示す。装置１２００は、第１のユーザに対する第１の送信をシステム帯域幅の第１の周波数領域内の少なくとも１個のサブバンドの中から第１のユーザのために選択されたサブバンドにマッピングする手段（モジュール１２１２）と、第２のユーザに対する第２の送信をシステム帯域幅の第２の周波数領域内の複数のサブバンドの全域でマッピングする手段（モジュール１２１４）と、第１の周波数領域内の選択されたサブバンドにマッピングされた第１の送信と、第２の周波数領域内の複数のサブバンドにマッピングされた第２の送信とを用いてＯＦＤＭシンボルまたはＳＣ−ＦＤＭシンボルを生成する手段（モジュール１２１６）とを含む。
【００６４】
図１３は、ＦＳＳおよびＦＤＳに対する送信を送るための処理１３００の設計を示す。処理１３００はノードＢまたは何らかの他のエンティティによって実行され得る。第１のユーザのグループに対する送信は、第１のグループ内のそれぞれのユーザが第１のセット内の１個のサブバンドにマッピングされている状態で、第１の時間インタレースにおいて少なくとも１個のサブバンドの第１のセットにマッピングされ得る（ブロック１３１２）。第１の時間インタレースは等しく間隔があけられた期間を含み得る。第２のユーザのグループに対する送信は、第２のグループ内のそれぞれのユーザが第２のセット内のサブバンドの全域でマッピングされている状態で、第１の時間インタレースにおいて第２のサブバンドのセットにマッピングされ得る（ブロック１３１４）。第２のセットは第１のセット内に含まれないサブバンドを含み得る。
【００６５】
第３のユーザのグループに対する送信は、第３のグループ内のそれぞれのユーザが第３のセット内の１個のサブバンドにマッピングされている状態で、第２の時間インタレースにおいて少なくとも１個のサブバンドの第３のセットにマッピングされ得る（ブロック１３１６）。第３のサブバンドセットは、第１のサブバンドセットと同じであってよく、または異なってもよい。第２の時間インタレースは、第１の時間インタレース内に含まれない、等しく間隔があけられた期間を含み得る。第４のユーザのグループに対する送信は、第４のグループ内のそれぞれのユーザが第４のセット内のサブバンドの全域でマッピングされている状態で、第２の時間インタレースにおいてサブバンドの第４のセットにマッピングされ得る（ブロック１３１８）。第４のセットは、第３のセット内に含まれないサブバンドを含み得る。送信は同様の方法で追加の時間インタレース上で送られることが可能である。それぞれのユーザのグループに対する送信は、そのグループ向けの時間インタレース上でＨＡＲＱを用いて送られることが可能である。
【００６６】
システム帯域幅は、ＦＳＳユーザのトラヒック負荷およびＦＤＳユーザのトラヒック負荷に基づいて、ＦＳＳのために使用されるサブバンドと、ＦＤＳのために使用されるサブバンドとに分割され得る。それぞれのセット内でサブバンドを伝達している情報は、ユーザにブロードキャストされることが可能であり、または他の方法で送られることが可能である。この情報は、１つまたは複数のサブバンドビットマスク、例えば、第１の時間インタレースに対する１個のサブバンドビットマスク、それぞれの時間インタレースに対する１個のサブバンドビットマスクなどを介して提供され得る。
【００６７】
図１４は、ＦＳＳおよびＦＤＳに対する送信を送るための装置１４００の設計を示す。装置１４００は、第１のグループ内のそれぞれのユーザが第１のセット内の１個のサブバンドにマッピングされている状態で、第１のユーザのグループに対する送信を第１の時間インタレースにおいて少なくとも１個のサブバンドの第１のセットにマッピングするための手段（モジュール１４１２）と、第２のグループ内のそれぞれのユーザが第２のセット内のサブバンドの全域でマッピングされている状態で、第２のユーザのグループに対する送信を第１の時間インタレースにおいてサブバンドの第２のセットにマッピングするための手段（モジュール１４１４）と、第３のグループ内のそれぞれのユーザが第３のセット内の１個のサブバンドにマッピングされている状態で、第３のユーザのグループに対する送信を第２の時間インタレースにおいて少なくとも１個のサブバンドの第３のセットにマッピングするための手段（モジュール１４１６）と、第４のグループ内のそれぞれのユーザが第４のセット内のサブバンドの全域でマッピングされている状態で、第４のユーザのグループに対する送信を第２の時間インタレースにおいてサブバンドの第４のセットにマッピングするための手段（モジュール１４１８）とを含む。
【００６８】
図１５は送信を受信するための処理１５００の設計を示す。処理１５００はＵＥまたは何らかの他のエンティティによって実行され得る。送信が周波数選択性スケジューリングを用いて送られた場合、送信はシステム帯域幅の第１の周波数領域内の少なくとも１個のサブバンドの中から選択されたサブバンドから受信され得る（ブロック１５１２）。送信は異なる時間間隔において、選択されたサブバンドの固定された部分、例えば、特定のリソースブロックから受信され得る。送信は、周波数ホッピングを用いて送られた場合、異なる時間間隔において、選択されたサブバンドの異なる部分、例えば、異なるリソースブロックから受信されることも可能である。
【００６９】
送信が周波数ダイバーシティスケジューリングを用いて送られた場合、送信はシステム帯域幅の第２の周波数領域内の複数のサブバンドにわたって受信され得る（ブロック１５１４）。サブバンドレベル周波数ホッピングを用いて送られた場合、送信は異なる時間間隔において第２の周波数領域内の異なるサブバンドから受信され得る。リソースブロックレベル周波数ホッピングを用いて送られた場合、送信は異なる時間間隔において第２の周波数領域内の異なるリソースブロックから受信されることも可能である。周波数ホッピングを用いて送られた場合、送信は固定されたホッピングパターン（例えば、巡回シフトパターン）または擬似ランダムホッピングパターンに基づいて受信され得る。送信は、例えば、ＨＡＲＱを用いて、等しく間隔があけられた期間において受信されることも可能である。第１および第２の周波数領域内のサブバンドは、ブロードキャスト情報、シグナリングなどに基づいて判定され得る。
【００７０】
図１６は、送信を受信するための処理１６００の設計を示す。装置１６００は、送信が周波数選択性スケジューリングを用いて送られた場合、システム帯域幅の第１の周波数領域内の少なくとも１個のサブバンドの中から選択されたサブバンドから送信を受信するための手段（モジュール１６１２）と、送信が周波数ダイバーシティスケジューリングを用いて送られた場合、システム帯域幅の第２の周波数領域内の複数のサブバンドにわたって送信を受信するための手段（モジュール１６１４）とを含む。
【００７１】
図１２、図１４および図１６におけるモジュールは、プロセッサ、電子装置、ハードウェア装置、電子コンポーネント、論理回路、メモリなど、またはこれらの任意の組合せを備え得る。
【００７２】
図１７は、図１におけるノードＢのうちの１つおよびＵＥのうちの２つである、１つのノードＢ１１０ならびに２つのＵＥ１２０ｘおよび１２０ｙの設計のブロック図を示す。ノードＢ１１０で、送信（ＴＸ）データプロセッサ１７１４はデータソース１７１２からトラヒックデータならびに／またはコントローラ／プロセッサ１７３０およびスケジューラ１７３４からシグナリングを受信することが可能である。ＴＸデータプロセッサ１７１４はトラヒックデータおよびシグナリングを処理（例えば、符号化、インタリーブ、およびシンボルマッピング）して、それぞれ、データシンボルおよびシグナリングシンボルを提供することが可能である。変調器（Ｍｏｄ）１７１６はデータシンボルおよびシグナリングシンボルを用いてパイロットシンボルを多重化して、（例えば、ＯＦＤＭのために）多重化されたシンボルに対して変調を実行し、出力チップを提供することが可能である。送信機（ＴＭＴＲ）１７１８は出力チップを処理（例えば、アナログに変換、増幅、フィルタ処理、および周波数アップコンバート）して、アンテナ１７２０を介して送信され得るダウンリンク信号を生成することが可能である。
【００７３】
それぞれのＵＥ１２０で、アンテナ１７５２はノードＢ１１０および他のノードＢからダウンリンク信号を受信することが可能である。受信機（ＲＣＶＲ）１７５４は、アンテナ１７５２からの受信された信号を調整（例えば、フィルタ処理、増幅、周波数ダウンコンバート、デジタル化）して、サンプルを提供することが可能である。復調器（Ｄｅｍｏｄ）１７５６は（例えば、ＯＦＤＭのために）サンプルに対して復調を実行して、シンボル推定を提供することが可能である。受信（ＲＸ）データプロセッサ１７５８はシンボル推定を処理（例えば、シンボルデマッピング、デインタリーブ、および復号）して、復号されたデータをデータシンク１７６０に提供し、検出されたシグナリングをコントローラ／プロセッサ１７７０に提供することが可能である。一般に、それぞれのＵＥ１２０におけるＲＸデータプロセッサ１７５８および復調器１７５６による処理は、ノードＢ１１０における、それぞれ、ＴＸデータプロセッサ１７１４および変調器１７１６による処理に対して相補的である。
【００７４】
アップリンク上で、ＴＸデータプロセッサ１７８２は、データソース１７８０からトラヒックデータおよび／またはコントローラ／プロセッサ１７７０からシグナリングを処理して、それぞれ、データシンボルおよびシグナリングシンボルを生成する。これらのシンボルは変調器１７８４によって変調されて、アンテナ１７５２を介して送信され得るアップリンク信号を生成するために送信機１７８６によって調整されることが可能である。ノードＢ１１０で、ＵＥ１２０ｘおよび１２０ｙならびに他のＵＥからのアップリンク信号は、アンテナ１７２０によって受信されて、受信機１７４０によって調整され、復調器１７４２によって復調され、ＲＸデータプロセッサ１７４４によって処理されることが可能である。プロセッサ１７４４は、復号されたデータをデータシンク１７４６に提供し、検出されたシグナリングをコントローラ／プロセッサ１７３０に提供することが可能である。
【００７５】
コントローラ／プロセッサ１７３０、１７７０ｘおよび１７７０ｙは、それぞれ、ノードＢ１１０ならびにＵＥ１２０ｘおよび１２０ｙにおける動作を指示することが可能である。メモリ１７３２、１７７２ｘおよび１７７２ｙは、それぞれ、ノードＢ１１０ならびにＵＥ１２０ｘおよび１２０ｙのためにデータとプログラムコードとを記憶することが可能である。スケジューラ１７３４は、ノードＢ１１０との通信のためにＵＥをスケジュールすることが可能である。スケジューラ１７３４および／またはコントローラ／プロセッサ１７３０は、ＦＤＳを用いてスケジュールされるべきＵＥと、ＦＳＳを用いてスケジュールされるべきＵＥとを識別することが可能であり、適切なサブバンド内のリソースブロックをこれらのＵＥに割り当てることが可能である。スケジューラ１７３４ならびに／またはコントローラ／プロセッサ１７３０は、図１１における処理１１００、図１３における処理１３００、および／もしくはＵＥに対する送信のための他の処理を実行することが可能である。それぞれ、ＵＥ１２０ｘおよび１２０ｙでコントローラ／プロセッサ１７７０ｘおよび１７７０ｙは、図１５における処理１５００ならびに／またはこれらのＵＥに対する送信を受信および／もしくは送信するためのその他の処理を実行することが可能である。
【００７６】
本明細書で記載された送信技法は様々な手段によって実施され得る。例えば、これらの技法は、ハードウェア、ファームウェア、ソフトウェア、またはこれらの組合せの形で実施され得る。ハードウェア実装の場合、エンティティ（例えば、ノードＢまたはＵＥ）で技法を実行するために使用される処理ユニットは、１つまたは複数の特定用途向け集積回路（ＡＳＩＣ）、デジタル信号プロセッサ（ＤＳＰ）、デジタル信号処理装置（ＤＳＰＤ）、プログラム可能な論理素子（ＰＬＤ）、フィールドプログラマブルゲートアレイ（ＦＰＧＡ）、プロセッサ、コントローラ、マイクロコントローラ、マイクロプロセッサ、電子装置、本明細書で記載される機能を実行するために設計された他の電子ユニット、コンピュータ、またはこれらの組合せを用いて実施され得る。
【００７７】
ファームウェア実装および／またはソフトウェア実装の場合、技法は本明細書で記載された機能を実行するモジュール（例えば、プロシージャ、関数など）を用いて実施され得る。ファームウェア命令および／またはソフトウェア命令は、メモリ（例えば、図１７におけるメモリ１７３２、１７７２ｘまたは１７７２ｙ）内に記憶されて、プロセッサ（例えば、プロセッサ１７３０、１７７０ｘまたは１７７０ｙ）によって実行され得る。メモリはプロセッサ内で実装されることが可能であり、またはプロセッサの外に実装されることも可能である。ファームウェア命令および／またはソフトウェア命令は、ランダムアクスメモリ（ＲＡＭ）、読出し専用メモリ（ＲＯＭ）、不揮発性ランダムアクセスメモリ（ＮＶＲＡＭ）、プログラム可能な読出し専用メモリ（ＰＲＯＭ）、電気的に消去可能なＰＲＯＭ（ＥＥＰＲＯＭ）、フラッシュメモリ、コンパクトディスク（ＣＤ）、磁気データ記憶装置または光データ記憶装置など、他のプロセッサ読み取り可能な媒体内に記憶されることも可能である。
【００７８】
本開示のこれまでの記載は、当業者が本開示を実行することまたは使用することを可能にするために提供される。本開示に対する様々な変形は当業者には容易に明らかになるであろう。また本明細書で定義される一般的な原理は、本開示の精神または範囲から逸脱せずに他のバリエーションに適応され得る。したがって、本開示は本明細書で記載される例および設計に限定されることは意図されず、本明細書で開示された原理および新規な特徴と一致する最も広範な範囲に合致すべきである。
以下に、本願出願の当初の特許請求の範囲に記載された発明を付記する。
［Ｃ１］
無線通信のための装置であって、
第１のユーザに対する第１の送信を第１の周波数領域内の少なくとも１個のサブバンドの中から前記第１のユーザのために選択されたサブバンドにマッピングし、第２のユーザに対する第２の送信を第２の周波数領域内の複数のサブバンドにわたってマッピングするように構成された少なくとも１つのプロセッサであって、前記第１および第２の周波数領域がシステム帯域幅の２つの重複しない部分に対応する、少なくとも１つのプロセッサと、
前記少なくとも１つのプロセッサに結合されたメモリとを備える装置。
［Ｃ２］
前記少なくとも１つのプロセッサが、前記第１の送信を異なる時間間隔において前記選択されたサブバンドの固定された部分にマッピングするように構成される、Ｃ１に記載の装置。
［Ｃ３］
前記少なくとも１つのプロセッサが、前記第１のユーザのために前記選択されたサブバンド内で周波数ホッピングを実行し、前記第１の送信を異なる時間間隔において前記選択されたサブバンドの異なる部分にマッピングするように構成される、Ｃ１に記載の装置。
［Ｃ４］
それぞれのサブバンドが複数のサブキャリアを備え、前記少なくとも１つのプロセッサが前記第２の送信を異なる時間間隔において前記複数のサブバンド内の異なるサブキャリアのセットにマッピングするように構成される、Ｃ１に記載の装置。
［Ｃ５］
それぞれの時間間隔がシンボル期間、または複数のシンボル期間を備えるスロット、または複数のスロットを備えるサブフレームに対応する、Ｃ４に記載の装置。
［Ｃ６］
前記少なくとも１つのプロセッサが、前記第２のユーザのためにサブバンドレベルで周波数ホッピングを実行し、前記第２の送信を異なる時間間隔において前記第２の周波数領域内の異なるサブバンドにマッピングするように構成される、Ｃ１に記載の装置。
［Ｃ７］
それぞれのサブバンドが複数のリソースブロックを備え、前記少なくとも１つのプロセッサが、前記第２のユーザのためにリソースブロックレベルで周波数ホッピングを実行し、前記第２の送信を異なる時間間隔において前記第２の周波数領域内の異なるリソースブロックにマッピングするように構成される、Ｃ１に記載の装置。
［Ｃ８］
前記少なくとも１つのプロセッサが、固定されたホッピングパターンまたは擬似ランダムホッピングパターンに基づいて前記複数のサブバンドにわたって前記第２の送信のために周波数ホッピングを実行するように構成される、Ｃ１に記載の装置。
［Ｃ９］
前記第２の周波数領域内の前記複数のサブバンドが隣接していない、Ｃ１に記載の装置。
［Ｃ１０］
前記少なくとも１つのプロセッサが、前記第１のユーザに対する前記第１の送信を等しく間隔があけられた期間において前記選択されたサブバンドにマッピングするように構成される、Ｃ１に記載の装置。
［Ｃ１１］
前記少なくとも１つのプロセッサが、前記第１の周波数領域内の前記選択されたサブバンドにマッピングされた前記第１の送信と、前記第２の周波数領域内の前記複数のサブバンドにマッピングされた前記第２の送信とを用いて直交周波数分割多重（ＯＦＤＭ）シンボルを生成するように構成される、Ｃ１に記載の装置。
［Ｃ１２］
無線通信のための方法であって、
第１のユーザに対する第１の送信を第１の周波数領域内の少なくとも１個のサブバンドの中から前記第１のユーザのために選択されたサブバンドにマッピングし、
第２のユーザに対する第２の送信を第２の周波数領域内の複数のサブバンドにわたってマッピングすることを含み、前記第１および第２の周波数領域がシステム帯域幅の２つの重複しない部分に対応する、方法。
［Ｃ１３］
前記第１の送信を前記マッピングすることが、前記第１の送信を異なる時間間隔において前記選択されたサブバンドの固定された部分にマッピングすることを含む、Ｃ１２に記載の方法。
［Ｃ１４］
前記第１の送信を前記マッピングすることが、前記第１の送信を異なる時間間隔において前記選択されたサブバンドの異なる部分にマッピングすることを含む、Ｃ１２に記載の方法。
［Ｃ１５］
前記第２の送信を前記マッピングすることが、前記第２の送信を異なる時間間隔において前記第２周波数領域内の異なるサブバンドにマッピングすることを含む、Ｃ１２に記載の方法。
［Ｃ１６］
それぞれのサブバンドが複数のリソースブロックを備え、前記第２の送信を前記マッピングすることが、前記第２の送信を異なる時間間隔において前記第２の周波数領域内の異なるリソースブロックにマッピングすることを含む、Ｃ１２に記載の方法。
［Ｃ１７］
無線通信のための装置であって、
第１のユーザに対する第１の送信を第１の周波数領域内の少なくとも１個のサブバンドの中から前記第１のユーザのために選択されたサブバンドにマッピングする手段と、
第２のユーザに対する第２の送信を第２の周波数領域内の複数のサブバンドにわたってマッピングする手段とを備え、前記第１および第２の周波数領域がシステム帯域幅の２つの重複しない部分に対応する、装置。
［Ｃ１８］
前記第１の送信をマッピングする前記手段が、前記第１の送信を異なる時間間隔において前記選択されたサブバンドの固定された部分にマッピングする手段を備える、Ｃ１７に記載の装置。
［Ｃ１９］
前記第１の送信をマッピングするための前記手段が、前記第１の送信を異なる時間間隔において前記選択されたサブバンドの異なる部分にマッピングする手段を備える、Ｃ１７に記載の装置。
［Ｃ２０］
前記第２送信をマッピングする前記手段が、前記第２の送信を異なる時間間隔において前記第２の周波数領域内の異なるサブバンドにマッピングする手段を備える、Ｃ１７に記載の装置。
［Ｃ２１］
それぞれのサブバンドが複数のリソースブロックを備え、前記第２の送信をマッピングする前記手段が、前記第２の送信を異なる時間間隔において前記第２の周波数領域内の異なるリソースブロックにマッピングする手段を備える、Ｃ１７に記載の装置。
［Ｃ２２］
命令が記憶されたプロセッサ読み取り可能な媒体であって、
第１のユーザに対する第１の送信を第１の周波数領域内の少なくとも１個のサブバンドの中から前記第１のユーザのために選択されたサブバンドにマッピングする第１の命令セットと、
第２のユーザに対する第２の送信を第２の周波数領域内の複数のサブバンドにわたってマッピングする第２の命令セットとを備え、前記第１および第２の周波数領域がシステム帯域幅の２つの重複しない部分に対応する、プロセッサ読み取り可能な媒体。
［Ｃ２３］
無線通信のための装置であって、
第１のユーザのグループに対する送信を第１の時間インタレースにおいて少なくとも１個のサブバンドの第１のセットにマッピングし、第２のユーザのグループに対する送信を前記第１の時間インタレースにおいて第２のサブバンドのセットにマッピングするように構成された少なくとも１つのプロセッサであって、前記第１のグループ内のそれぞれのユーザが前記第１のセット内の１個のサブバンドにマッピングされており、前記第２のグループ内のそれぞれのユーザが前記第２のセット内の前記サブバンドにわたってマッピングされており、前記第２のセットが、前記第１のセット内に含まれないサブバンドを含み、前記第１の時間インタレースが、等しく間隔があけられた期間を含む、少なくとも１つのプロセッサと、
前記少なくとも１つのプロセッサに結合されたメモリとを備える装置。
［Ｃ２４］
前記少なくとも１つのプロセッサが、第３のユーザのグループに対する送信を第２の時間インタレースにおいて少なくとも１個のサブバンドの第３のセットにマッピングし、第４のユーザのグループに対する送信を前記第２の時間インタレースにおいて第４のサブバンドのセットにマッピングするように構成され、前記第３のグループ内のそれぞれのユーザが前記第３のセット内の１個のサブバンドにマッピングされており、前記第４のグループ内のそれぞれのユーザが前記第４のセット内の前記サブバンドにわたってマッピングされており、前記第４のセットが前記第３のセット内に含まれないサブバンドを含み、前記第２の時間インタレースが前記第１の時間インタレース内に含まれない、等しく間隔があけられた期間を含む、Ｃ２３に記載の装置。
［Ｃ２５］
前記第２の時間インタレースに対する前記第３のサブバンドのセットが、前記第１の時間インタレースに対する前記第１のサブバンドのセットと異なり、前記第２の時間インタレースに対する前記第４のサブバンドのセットが、前記第１の時間インタレースに対する前記第２のサブバンドのセットと異なる、Ｃ２４に記載の装置。
［Ｃ２６］
前記少なくとも１つのプロセッサが、前記第１および第３のユーザのグループに対する送信を、それぞれ、前記第１および第２の時間インタレース上でハイブリット自動再送信（ＨＡＲＱ）を用いて送るように構成される、Ｃ２４に記載の装置。
［Ｃ２７］
前記少なくとも１つのプロセッサが、周波数選択性スケジューリング（ＦＳＳ）を用いるユーザのトラヒック負荷および周波数ダイバーシティスケジューリング（ＦＤＳ）を用いるユーザのトラヒック負荷に基づいて、前記システム帯域幅を、少なくとも１個のサブバンドの前記第１のセットと前記第２のサブバンドのセットとに分割するように構成される、Ｃ２３に記載の装置。
［Ｃ２８］
前記少なくとも１つのプロセッサが、前記第１の時間インタレースに対する前記第１および第２のサブバンドのセットを伝達する情報を送るように構成される、Ｃ２３に記載の装置。
［Ｃ２９］
前記情報が複数のサブバンドのそれぞれに対して１つのビットを有するサブバンドビットマスクを備え、それぞれのサブバンドに対する前記ビットが、前記サブバンドが前記第１のセット内にあることを示すために第１の値に設定され、前記サブバンドが前記第２のセット内にあることを示すために第２の値に設定されている、Ｃ２８に記載の装置。
［Ｃ３０］
前記少なくとも１つのプロセッサが、前記第１の時間インタレースに対する前記第１および第２のサブバンドのセットを伝達する情報を送るように構成され、前記第２の時間インタレースに対する前記第３および第４のサブバンドのセットが、前記第１の時間インタレースに対する前記第１および前記第２のサブバンドのセットに基づいて判定される、Ｃ２４に記載の装置。
［Ｃ３１］
無線通信のための方法であって、
第１のユーザのグループに対する送信を第１の時間インタレースにおいて少なくとも１個のサブバンドの第１のセットにマッピングし、前記第１のグループ内のそれぞれのユーザが前記第１のセット内の１個のサブバンドにマッピングされており、前記第１の時間インタレースが、等しく間隔があけられた期間を含み、
第２のユーザのグループに対する送信を前記第１の時間インタレースにおいて第２のサブバンドのセットにマッピングし、前記第２のグループ内のそれぞれのユーザが前記第２のセット内の前記サブバンドにわたってマッピングされており、前記第２のセットが、前記第１のセット内に含まれないサブバンドを含む、方法。
［Ｃ３２］
第３のユーザのグループに対する送信を第２の時間インタレースにおいて少なくとも１個のサブバンドの第３のセットにマッピングし、前記第３のグループ内のそれぞれのユーザが前記第３のセット内の１個のサブバンドにマッピングされており、前記第２の時間インタレースが前記第１の時間インタレース内に含まれない、等しく間隔があけられた期間を含み、
第４のユーザのグループに対する送信を前記第２の時間インタレースにおいて第４のサブバンドのセットにマッピングし、前記第４のグループ内のそれぞれのユーザが前記第４のセット内の前記サブバンドにわたってマッピングされており、前記第４のセットが前記第３のセット内に含まれないサブセットを含む、ことをさらに備える、Ｃ３１に記載の方法。
［Ｃ３３］
前記第１および第３のユーザのグループに対する送信を、それぞれ、前記第１および第２の時間インタレース上でハイブリット自動再送信（ＨＡＲＱ）を用いて送ることをさらに備える、Ｃ３２に記載の方法。
［Ｃ３４］
無線通信のための装置であって、
第１の周波数領域内の少なくとも１個のサブバンドの中から選択された１個のサブバンドからの送信を、前記送信が周波数選択性スケジューリングを用いて送られた場合、受信し、前記送信が周波数ダイバーシティスケジューリングを用いて送られた場合、前記送信を第２の周波数領域内の複数のサブバンドにわたって受信するように構成される少なくとも１つのプロセッサであって、前記第１および第２の周波数領域がシステム帯域幅の２つの重複しない部分に対応する、少なくとも１つのプロセッサと、
前記少なくとも１つのプロセッサに結合されたメモリとを備える装置。
［Ｃ３５］
前記少なくとも１つのプロセッサが、前記送信が周波数選択性スケジューリングを用いて送られた場合、前記送信を異なる時間間隔において前記選択されたサブバンドの固定された部分から受信するように構成される、Ｃ３４に記載の装置。
［Ｃ３６］
前記少なくとも１つのプロセッサが、前記送信が周波数選択性スケジューリングを用いて送られた場合、前記送信を異なる時間間隔において前記選択されたサブバンドの異なる部分から受信するように構成される、Ｃ３４に記載の装置。
［Ｃ３７］
前記少なくとも１つのプロセッサが、前記送信が周波数ダイバーシティスケジューリングを用いて送られた場合、前記送信を異なる時間間隔において前記第２の周波数領域内の異なるサブバンドから受信するように構成される、Ｃ３４に記載の装置。
［Ｃ３８］
それぞれのサブバンドが複数のリソースブロックを備え、前記少なくとも１つのプロセッサが、前記送信が周波数ダイバーシティスケジューリングを用いて送られた場合、前記送信を異なる時間間隔において前記第２の周波数領域内の異なるリソースブロックから受信するように構成される、Ｃ３４に記載の装置。
［Ｃ３９］
前記少なくとも１つのプロセッサが、周波数ホッピングを用いて前記送信を送るために使用される擬似ランダムホッピングパターンまたは固定ホッピングパターンに基づいて前記送信を受信するように構成される、Ｃ３４に記載の装置。
［Ｃ４０］
前記少なくとも１つのプロセッサが、ハイブリット自動再送信（ＨＡＲＱ）を用いて、等しく間隔があけられた期間において前記送信を受信するように構成される、Ｃ３４に記載の装置。
［Ｃ４１］
前記少なくとも１つのプロセッサが、ブロードキャスト情報に基づいて前記第１および第２の周波数領域内の前記サブバンドを判定するように構成される、Ｃ３４に記載の装置。
［Ｃ４２］
無線通信のための方法であって、
第１の周波数領域内の少なくとも１個のサブバンドの中から選択されたサブバンドからの送信を、前記送信が周波数選択性スケジューリングを用いて送られた場合、受信し、
前記送信が周波数ダイバーシティスケジューリングを用いて送られた場合、前記送信を第２の周波数領域内の複数のサブバンドにわたって受信することを含む方法であって、前記第１および第２の周波数領域がシステム帯域幅の２つの重複しない部分に対応する、方法。
［Ｃ４３］
前記送信を前記選択されたサブバンドから前記受信することが、前記送信を異なる時間間隔において前記選択されたサブバンドの固定された部分から受信することを含む、Ｃ４２に記載の方法。
［Ｃ４４］
前記送信を前記選択された１個のサブバンドから前記受信することが、前記送信を異なる時間間隔において前記選択されたサブバンドの異なる部分から受信することを含む、Ｃ４２に記載の方法。
［Ｃ４５］
前記送信を前記複数のサブバンドにわたって前記受信することが、前記送信を異なる時間間隔において前記第２の周波数領域内の異なるサブバンドから受信することを含む、Ｃ４２に記載の方法。
［Ｃ４６］
それぞれのサブバンドが複数のリソースブロックを備え、前記送信を前記複数のサブバンドにわたって前記受信することが、前記送信を異なる時間間隔において前記第２の周波数領域内の異なるリソースブロックから受信することを含む、Ｃ４２に記載の方法。
［Ｃ４７］
無線通信のための装置であって、
を第１の周波数領域内の少なくとも１個のサブバンドの中から選択されたサブバンドからの送信を、前記送信が周波数選択性スケジューリングを用いて送られた場合、受信する手段と、
前記送信が周波数ダイバーシティスケジューリングを用いて送られた場合、前記送信を第２の周波数領域内の複数のサブバンドにわたって受信する手段とを備え、前記第１および第２の周波数領域がシステム帯域幅の２つの重複しない部分に対応する、装置。
［Ｃ４８］
前記送信を前記選択されたサブバンドから受信する前記手段が、前記送信を異なる時間間隔において前記選択されたサブバンドの固定された部分から受信する手段を備える、Ｃ４７に記載の装置。
［Ｃ４９］
前記送信を前記選択されたサブバンドから受信する前記手段が、前記送信を異なる時間間隔において前記選択された１個のサブバンドの異なる部分から受信する手段を備える、Ｃ４７に記載の装置。
［Ｃ５０］
前記送信を前記複数のサブバンドにわたって受信する前記手段が、前記送信を異なる時間間隔において前記第２の周波数領域内の異なるサブバンドから受信する手段を備える、Ｃ４７に記載の装置。
［Ｃ５１］
それぞれのサブバンドが複数のリソースブロックを備え、前記送信を前記複数のサブバンドにわたって受信する前記手段が、前記送信を異なる時間間隔において前記第２の周波数領域内の異なるリソースブロックから受信する手段を備える、Ｃ４７に記載の装置。
［Ｃ５２］
記憶された命令を含むプロセッサ読み取り可能な媒体であって、
第１の周波数領域内の少なくとも１個のサブバンドの中から選択されたサブバンドからの送信を、前記送信が周波数選択性スケジューリングを用いて送られた場合、受信を指示する第１の命令セットと、
前記送信が周波数ダイバーシティスケジューリングを用いて送られた場合、第２の周波数領域内の複数のサブバンドにわたる前記送信の受信を指示する第２の命令セットとを備え、前記第１および第２の周波数領域がシステム帯域幅の２つの重複しない部分に対応する、プロセッサ読み取り可能な媒体。
【図１】
0005551280.tif 000004
【図２】
0005551280.tif 000005
【図３】
0005551280.tif 000006
【図４】
0005551280.tif 000007
【図５】
0005551280.tif 000008
【図６Ａ】
0005551280.tif 000009
【図６Ｂ】
0005551280.tif 000010
【図７】
0005551280.tif 000011
【図８】
0005551280.tif 000012
【図９Ａ】
0005551280.tif 000013
【図９Ｂ】
0005551280.tif 000014
【図１０】
0005551280.tif 000015
【図１１】
0005551280.tif 000016
【図１２】
0005551280.tif 000017
【図１３】
0005551280.tif 000018
【図１４】
0005551280.tif 000019
【図１５】
0005551280.tif 000020
【図１６】
0005551280.tif 000021
【図１７】
0005551280.tif 000022